(57)【特許請求の範囲】
【請求項１】
物性が同一と考えられる透過型クロミックフィルム群に属する個々の透過型クロミックフィルムに形成される放射線画像について、透過型イメージスキャナーによって得られる光学濃度から、前記透過型クロミックフィルムへの実際の放射線照射線量を決定するために用いるオリジナル較正マップの作成方法であって、
（１）前記の物性が同一と考えられる透過型クロミックフィルム群から、標準フィルムとして、１枚の非照射標準フィルムと、少なくとも２枚の照射標準フィルムとを選ぶ工程、
（２）前記の各照射標準フィルムについては、各フィルム間では相互に異なる放射線照射量であって、個々のフィルムにおいては同一の放射線照射量で全面を均一に照射して、各照射標準フィルム上に放射線画像を形成する工程、
（３）前記の透過型イメージスキャナーにおいて、同一の走査配置条件下で、前記各標準フィルムのそれぞれから、前記標準フィルムの全面に亘る各画素について光学濃度データを取得する工程、及び
（４）前記工程（３）で得られた光学濃度データ及び各標準フィルムの放射線照射線量データから、光学濃度と放射線照射線量との較正曲線を、各画素のそれぞれに関連させて作成し、記録する工程
を含む、前記のオリジナル較正マップの作成方法。
【請求項２】
物性が同一と考えられるが、その物性が請求項１に記載のオリジナル較正マップの作成に用いた透過型クロミックフィルム群の物性とは異なる可能性がある別異の透過型クロミックフィルム群について、請求項１に記載の方法で作成したオリジナル較正マップを修正して更新較正マップを作成する方法であって、
（１）前記の別異の透過型クロミックフィルム群から、更新フィルムとして、１枚の非照射更新フィルムと、少なくとも１枚の照射更新フィルムとを選ぶ工程、
（２）前記の照射更新フィルムについては、各フィルム間では相互に異なる放射線照射量であって、個々のフィルムにおいては同一の放射線照射量で全面を均一に照射して、各照射更新フィルム上に放射線画像を形成する工程、
（３）請求項１に記載の走査配置条件と同一の走査配置条件下にある前記各更新フィルムのそれぞれから、前記照射フィルムの全面に亘る各画素について光学濃度データを取得する工程、
（４）前記工程（３）で得られた光学濃度データ及び各照射フィルムの放射線照射線量データから、光学濃度と放射線照射線量との修正較正曲線を、各画素のそれぞれに関連させて作成する工程、
（５）前記工程（４）で作成した修正較正曲線を、オリジナル較正マップの較正曲線に沿って更新し、更新較正曲線を記録する工程
を含む、前記の更新較正マップ作成方法。
【請求項３】
請求項２に記載の方法によって生成された更新較正マップを、請求項２に記載の方法によって更に修正する、更新較正マップ作成方法。
【請求項４】
請求項１〜３のいずれか一項に記載の較正マップの作成に用いた透過型イメージスキャナーとは別異の透過型イメージスキャナーについて、前記較正マップを更新する方法であって、
（１）前記較正マップの作成に用いた透過型クロミックフィルム群から、更新フィルムとして、１枚の非照射更新フィルムと、少なくとも１枚の照射更新フィルムとを選ぶ工程、
（２）前記の照射更新フィルムについては、各フィルム間では相互に異なる放射線照射量であって、個々のフィルムにおいては同一の放射線照射量で全面を均一に照射して、各照射更新フィルム上に放射線画像を形成する工程、
（３）前記の別異の透過型イメージスキャナーにおいて、請求項１に記載の走査配置条件と同一の走査配置条件下にある前記各更新フィルムのそれぞれから、前記更新フィルムの全面に亘る各画素について光学濃度データを取得する工程、
（４）前記工程（３）で得られた光学濃度データ及び各更新フィルムの放射線照射線量データから、光学濃度と放射線照射線量との修正較正曲線を、各画素のそれぞれに関連させて作成する工程、及び
（５）前記工程（４）で作成した修正較正曲線を、更新対象の較正マップの較正曲線に沿って更新し、更新較正曲線を記録する工程
を含む、前記の更新較正マップ作成方法。
【請求項５】
物性が同一と考えられる透過型クロミックフィルム群に属する個々の透過型クロミックフィルムに形成される放射線画像について、透過型イメージスキャナーによって得られる光学濃度から、前記透過型クロミックフィルムへの実際の放射線照射線量を決定するために用いる較正マップであって、
前記透過型クロミックフィルムの全面に亘る各画素のそれぞれにおいて、照射された複数の放射線照射量と、それらの放射線照射によって得られた画像から透過型イメージスキャナーによって測定された光学濃度とから得られた較正曲線をフィルムの全面に亘る各画素のそれぞれに関連させて有すること、及び
前記透過型クロミックフィルムに形成される放射線画像が、予め決められた特定の走査配置条件で、透過型イメージスキャナーによって測定することの指令を含むこと
を特徴とする、前記の較正マップ。
【請求項６】
請求項１〜４のいずれか一項に記載の方法によって得られる較正マップ。
【請求項７】
請求項５又は６に記載の較正マップを有するコンピュータ読み取り可能な記録媒体。
【請求項８】
（１）請求項５又は６に記載の較正マップが作成された透過型クロミックフィルム群に属する透過型クロミックフィルムに、放射線治療計画による治療用放射線を照射して放射線画像を形成する工程、
（２）前記透過型クロミックフィルムに形成された放射線画像から、前記較正マップに特有の予め決められた特定の走査配置条件で、透過型イメージスキャナーによって光学濃度を測定する工程、及び
（３）前記放射線画像の全画素に関して、前記較正マップを用いて、前記光学濃度から、放射線照射量を計算する工程
を含むことを特徴とする、放射線治療計画の照射量検証方法。
【発明の詳細な説明】
【技術分野】
【０００１】
本発明は、放射線治療計画の放射線照射量検証方法に用いるクロミックフィルムの光学濃度の較正マップ、較正マップの作成又は更新方法、その較正マップを含む記録媒体、及び前記較正マップを用いる放射線治療計画の照射量検証方法に関する。
【背景技術】
【０００２】
放射線によるガン治療は、外科手術や抗ガン剤投与と共に、ガン療法の中で重要な役割を果たしている。放射線療法は、外科療法と同様に、ガン組織とその周辺のみを治療する局所治療である点で有利なだけでなく、外科療法のような臓器摘出が不要であり、臓器を温存することができる点で優れている。しかしながら、放射線治療においては、大量の放射線を病巣に照射する必要があるので、副作用を軽減ないし防止するために、ガン組織に対して最適な放射線量を照射してダメージを与え、一方では周囲の正常組織に対しては照射する放射線量をできる限り少なくして損傷を抑えることが求められる。
【０００３】
例えば、放射線療法の１つである強度変調療法（ＩＭＲＴ）では、まず治療計画を作成して、患部に対して所定の吸収線量分布の放射線照射を正確に行うことができる照射条件を設定する必要があり、更に、このような治療計画の妥当性を、予め実験的に検証しておく必要がある。この場合、人体内部に線量計を挿入して試験的な線量測定を行うことはできないので、人体等価物質から構成される人体模型（すなわち、ファントム）内に、例えば、２次元用線量計を挿入して線量分布を解析する。
【０００４】
線量分布解析に利用するために、ファントム内に挿入する２次元用線量計としては、クロミックフィルムが広く使用されている。このクロミックフィルムは、Ｘ線に感光すると、現像をせずに放射線画像を形成するという利点を有している。こうして得られた放射線画像からイメージスキャナーで光学濃度データを取得し、その光学濃度データから放射線照射量を決定することが可能となる。
【０００５】
前記の光学濃度データから放射線照射量を決定するためには、光学濃度と放射線照射量との較正曲線（スタンダードカーブ）を予め作成しておく必要がある。クロミックフィルムは比較的高額であるため、その較正曲線は、例えば、以下の方法で作成されている。即ち、１枚のクロミックフィルムの複数個所に、複数種の放射線照射量で次々に放射線画像を形成し、それら放射線画像の光学濃度をスキャナーで読み込み、放射線照射量と光学濃度との較正曲線を形成することができる。
【０００６】
ところが、透過型クロミックフィルムに形成された放射線画像を透過型イメージスキャナーで走査して得られた光学濃度データには、読み取り位置の差異に依存して測定値の誤差が発生することが報告されており、走査方向に対する垂直方向に発生する誤差（非平坦性）に対して、その補正手段も提案されている（例えば、非特許文献１及び２）。また、クロミックフィルムにおいては、照射量の増加に伴って、トレンド成分（非平坦性成分）の傾きが変化するため、非照射時のベース成分（バックグラウンド値）とトレンド成分とを単純に差し引くだけでは、照射画像に関して平坦な濃度情報を得ることができないことも知られている。
【０００７】
誤差の原因としては、クロミックフィルムにおける感光物質の粒子ムラやロットごとの感光物質の塗布ムラ、スキャナー光源の不均一性、あるいは走査時のフィルム位置のズレなどが推定されているが、現在のところ、誤差原因の明確な解明には至っていない。また、前記の非特許文献１及び２では、走査方向に対する垂直方向（走査光源方向）に発生する誤差（非平坦性）が具体的に指摘され、それらの一方向の誤差に対して、複雑な近似多項式による補正が提案されている。しかしながら、もう一方の走査方向に発生する誤差の存在や、その誤差について定量的に取り扱った報告はなく、従って、２次元平面の全体における誤差について定量的な報告もない。ましてや、それらの誤差の補正手段に至っては、従来、全く提案されていない。
【先行技術文献】
【非特許文献】
【０００８】
【非特許文献１】上原隆三，外５名，“線量分布解析におけるラジオクロミックフィルムドジメトリーの正確性の向上に関する取り組み―フラットベッドスキャナの影響の補正方法と色成分を利用した補正方法の組み合わせ―”，日本放射線技術学会雑誌，2013年6月，Vol. 69，No. 6，p.617−631
【非特許文献２】鎌田茂義，外５名，“Flat Bed型スキャナ使用時の平坦度特性の改善”，［online］，2015年11月19日，第７回ガフクロミックフィルム研究会，［平成28年3月4日検索］，インターネット＜URL：http://www.veritastk.co.jp/attached/5875/2_gafchromic.pdf#search='flatbed%E5%9E%8B%E3%82%B9%E3%82%AD%E3%83%A3%E3%83%8A%E4%BD%BF%E7%94%A8+%E5%AE%AE%E6%B2%A2'＞
【発明の概要】
【発明が解決しようとする課題】
【０００９】
本発明者は、後述の確認実験で具体的に示す様に、放射線で全面を均一に照射した透過型クロミックフィルムについて、透過型イメージスキャナーで光学濃度を測定すると、スキャナー原稿台上での前記フィルムの配置位置や配置方向の差異に応じて測定値が変化することを見出すと共に、その測定値変化を含めて、２次元走査平面の全体に発生する誤差を較正する手段を見出した。
【００１０】
従って、本発明の課題は、透過型クロミックフィルムに形成される放射線画像から、透過型イメージスキャナーによって得られる光学濃度データについて、２次元走査平面の全体に発生する誤差を較正する手段を提供し、放射線治療計画における放射線照射量の検証精度を向上させることにある。
【課題を解決するための手段】
【００１１】
前記の課題は、本発明により、
物性が同一と考えられる透過型クロミックフィルム群に属する個々の透過型クロミックフィルムに形成される放射線画像について、透過型イメージスキャナーによって得られる光学濃度から、前記透過型クロミックフィルムへの実際の放射線照射線量を決定するために用いるオリジナル較正マップの作成方法であって、
（１）前記の物性が同一と考えられる透過型クロミックフィルム群から、標準フィルムとして、１枚の非照射標準フィルムと、少なくとも２枚の照射標準フィルムとを選ぶ工程、
（２）前記の各照射標準フィルムについては、各フィルム間では相互に異なる放射線照射量であって、個々のフィルムにおいては同一の放射線照射量で全面を均一に照射して、各照射標準フィルム上に放射線画像を形成する工程、
（３）前記の透過型イメージスキャナーにおいて、同一の走査配置条件下で、前記各標準フィルムのそれぞれから、前記標準フィルムの全面に亘る各画素について光学濃度データを取得する工程、及び
（４）前記工程（３）で得られた光学濃度データ及び各標準フィルムの放射線照射線量データから、光学濃度と放射線照射線量との較正曲線を、各画素のそれぞれに関連させて作成し、記録する工程
を含む、前記のオリジナル較正マップの作成方法によって解決することができる。
【００１２】
また、本発明は、
物性が同一と考えられるが、その物性が前記のオリジナル較正マップの作成に用いた透過型クロミックフィルム群の物性とは異なる可能性がある別異の透過型クロミックフィルム群について、前記方法で作成したオリジナル較正マップを修正して更新較正マップを作成する方法であって、
（１）前記の別異の透過型クロミックフィルム群から、更新フィルムとして、１枚の非照射更新フィルムと、少なくとも１枚の照射更新フィルムとを選ぶ工程、
（２）前記の照射更新フィルムについては、各フィルム間では相互に異なる放射線照射量であって、個々のフィルムにおいては同一の放射線照射量で全面を均一に照射して、各照射更新フィルム上に放射線画像を形成する工程、
（３）前記のオリジナル較正マップの作成方法における走査配置条件と同一の走査配置条件下にある前記各更新フィルムのそれぞれから、前記照射フィルムの全面に亘る各画素について光学濃度データを取得する工程、
（４）前記工程（３）で得られた光学濃度データ及び各照射フィルムの放射線照射線量データから、光学濃度と放射線照射線量との修正較正曲線を、各画素のそれぞれに関連させて作成する工程、
（５）前記工程（４）で作成した修正較正曲線を、オリジナル較正マップの較正曲線に沿って更新し、更新較正曲線を記録する工程
を含む、前記の更新較正マップ作成方法にも関する。
【００１３】
また、本発明は、前記の更新較正マップを、前記の更新較正マップ作成方法によって更に修正する、更新較正マップ作成方法にも関する。
【００１４】
更に、本発明は、
前記の較正マップ（オリジナル較正マップ又は更新較正マップ）の作成に用いた透過型イメージスキャナーとは別異の透過型イメージスキャナーについて、前記較正マップを更新する方法であって、
（１）前記較正マップの作成に用いた透過型クロミックフィルム群から、更新フィルムとして、１枚の非照射更新フィルムと、少なくとも１枚の照射更新フィルムとを選ぶ工程、
（２）前記の照射更新フィルムについては、各フィルム間では相互に異なる放射線照射量であって、個々のフィルムにおいては同一の放射線照射量で全面を均一に照射して、各照射更新フィルム上に放射線画像を形成する工程、
（３）前記の別異の透過型イメージスキャナーにおいて、前記の較正マップ（オリジナル較正マップ又は更新較正マップ）の作成方法における走査配置条件と同一の走査配置条件下にある前記各更新フィルムのそれぞれから、前記更新フィルムの全面に亘る各画素について光学濃度データを取得する工程、
（４）前記工程（３）で得られた光学濃度データ及び各更新フィルムの放射線照射線量データから、光学濃度と放射線照射線量との修正較正曲線を、各画素のそれぞれに関連させて作成する工程、及び
（５）前記工程（４）で作成した修正較正曲線を、更新対象の較正マップの較正曲線に沿って更新し、更新較正曲線を記録する工程
を含む、前記の更新較正マップ作成方法にも関する。
【００１５】
本発明は、前記の較正マップ（オリジナル較正マップ又は更新較正マップ）の作成方法によって得られる較正マップにも関する。
【００１６】
更にまた、本発明は、
物性が同一と考えられる透過型クロミックフィルム群に属する個々の透過型クロミックフィルムに形成される放射線画像について、透過型イメージスキャナーによって得られる光学濃度から、前記透過型クロミックフィルムへの実際の放射線照射線量を決定するために用いる較正マップであって、
前記透過型クロミックフィルムの全面に亘る各画素のそれぞれにおいて、照射された複数の放射線照射量と、それらの放射線照射によって得られた画像から透過型イメージスキャナーによって測定された光学濃度とから得られた較正曲線をフィルムの全面に亘る各画素のそれぞれに関連させて有すること、及び
前記透過型クロミックフィルムに形成される放射線画像が、予め決められた特定の走査配置条件で、透過型イメージスキャナーによって測定することの指令を含むこと
を特徴とする、前記の較正マップにも関する。
【００１７】
本発明は、前記の較正マップ（オリジナル較正マップ又は更新較正マップ）を有するコンピュータ読み取り可能な記録媒体にも関する。
【００１８】
更にまた、本発明は、
（１）前記の較正マップ（オリジナル較正マップ又は更新較正マップ）が作成された透過型クロミックフィルム群に属する透過型クロミックフィルムに、放射線治療計画による治療用放射線を照射して放射線画像を形成する工程、
（２）前記透過型クロミックフィルムに形成された放射線画像から、前記較正マップに特有の予め決められた特定の走査配置条件で、透過型イメージスキャナーによって光学濃度を測定する工程、及び
（３）前記放射線画像の全画素に関して、前記較正マップを用いて、前記光学濃度から、放射線照射量を計算する工程
を含むことを特徴とする、放射線治療計画の照射量検証方法にも関する。
【発明の効果】
【００１９】
本発明による較正マップは、クロミックフィルムの全面を網羅する全画素のそれぞれに、相互に独立して、クロミックフィルムの放射線画像光学濃度と放射線照射量との較正曲線（関数）を構築して備えているため、本発明者が見出した新たな課題（すなわち、イメージスキャナー原稿台での配置条件に基づいて発生する不平坦性）を正確に矯正して、放射線治療計画の放射線照射量検証方法に用いるクロミックフィルムの光学濃度に対応する放射線照射量を極めて正確に較正することができる。
また、本発明による較正マップは、その生成及び更新が極めて簡便な方法によって実施することができ、較正マップを含む記録媒体、更には、較正マップを含む解析システムや解析装置も極めて簡便な方法で製造することができる。
更に、本発明による較正マップを用いて、放射線治療計画に基づく照射量を極めて正確に検証することができる。
【図面の簡単な説明】
【００２０】
【図１】透過型クロミックフィルムの各部分や領域などを示す説明図である。
【図２】透過型イメージスキャナーの原稿台の各部分を模式的に示す説明図である。
【図３】オリジナル較正マップの作成方法と較正曲線との関係を示す模式図である。
【図４】更新較正マップの作成方法と更新較正曲線との関係を示す模式図である。
【図５】光学濃度測定値の不平坦性確認実験において、透過型イメージスキャナー原稿台上の透過型クロミックフィルムの４種の配置位置を示す説明図であり、図５（ａ）は、最初の実験における配置位置１を示し、図５（ｂ）は、図５（ａ）の配置位置１から９０°回転させた配置位置２を示し、図５（ｃ）は、図５（ｂ）の配置位置２から更に９０°回転させた配置位置３を示し、図５（ｄ）は、図５（ｃ）の配置位置３から更に９０°回転させた配置位置４を示す。
【発明を実施するための形態】
【００２１】
本発明が対象とするフィルムは、透過型クロミックフィルムであり、反射型クロミックフィルムは含まない。ここで、透過型とは、スキャナー光源（キセノンランプ）からの光をフィルムが透過するという意味である。従って、本発明で使用するスキャナーも、透過型イメージスキャナーである。スキャナーとしては、フラットベッド型でも、シートフィード型でもよい。フラットベッド型スキャナーでは、クロミックフィルムを載置した原稿台の上下を挟んで、スキャナー光源（キセノンランプ）とＣＣＤイメージセンサとが移動する。シートフィード型では、固定されたスキャナー光源（キセノンランプ）とＣＣＤイメージセンサとの間を、クロミックフィルムが移動しながら通過する。
本発明においては、透過型クロミックフィルムである限り、フィルムは限定されず、透過型イメージスキャナーである限り、スキャナーも限定されない。
【００２２】
本発明による較正マップには、オリジナル較正マップと更新較正マップとが含まれる。オリジナル較正マップとは、マップ作成用の全データを最初から取得して作成する較正マップであり、更新較正マップとは、既に作成されているオリジナル較正マップのデータと新たに取得したデータとを利用して作成する較正マップである。最初に、オリジナル較正マップの作成方法について説明し、続いて更新較正マップの作成方法について説明する。
【００２３】
オリジナル較正マップの作成方法は、以下の工程を含む。
（１）標準フィルム選定工程、
（２）放射線画像形成工程、
（３）光学濃度データ取得工程、及び
（４）較正曲線記録工程。
【００２４】
標準フィルム選定工程では、物性が同一と考えられる透過型クロミックフィルム群から、１枚の非照射標準フィルムと、少なくとも２枚の照射標準フィルムとを標準フィルムとして選び出す。ここで、物性が同一と考えられる透過型クロミックフィルム群とは、例えば、製造ロット番号が同じフィルム群である。製造ロット番号が同じであれば、感光物質の組成や塗布・製造条件、及び塗布ムラなどが同一で、裁断方向も揃えて梱包されていると考えられるので、そのフィルム群に属するフィルムは同一物性を有していると考えられる。
【００２５】
非照射標準フィルムは、放射線照射が無い状態のブランクサンプルとして使用し、非照射状態でのベース成分及びトレンド成分のデータ入手に必要である。放射線を照射する照射標準フィルムは、２枚以上を選択する必要があり、通常は、４〜７枚程度を選択する。放射線治療計画での最大照射量は、一般的に約２００ｃＧｙであるので、照射標準フィルムに照射する照射量としては、例えば、約２０ｃＧｙ（最大照射量の約１／１０倍量）程度から約４００ｃＧｙ（最大照射量の２倍量）程度の範囲を適当な間隔をあけて分割して較正マップを作成することができる。６枚の照射標準フィルムを選択する場合は、例えば、２５ｃＧｙ、５０ｃＧｙ、１００ｃＧｙ、１５０ｃＧｙ、２００ｃＧｙ、及び３５０ｃＧｙ用として、照射標準フィルムを使用する。
【００２６】
放射線画像形成工程では、個々の照射標準フィルムに、それぞれ所定量の放射線照射量で全面を均一に照射して、個々の照射標準フィルム上に、各所定量の放射線に相当する画像を形成する。例えば、前記のように６枚の照射標準フィルムを選択した場合では、２５ｃＧｙ、５０ｃＧｙ、１００ｃＧｙ、１５０ｃＧｙ、２００ｃＧｙ、及び３５０ｃＧｙの照射量を各照射標準フィルムの全面に均一に照射して放射線画像を各照射標準フィルムの全面に形成する。一般的に、放射線治療計画の放射線照射量検証は、ファントム内で実施するので、照射標準フィルムへの放射線照射も、放射線治療計画の放射線照射量検証に用いるファントムと同一のファントム内で、同一条件下で実施するのが好ましい。
【００２７】
光学濃度データ取得工程では、前記各標準フィルムのそれぞれから、透過型イメージスキャナーによって光学濃度データを同一の走査配置条件下で取得する。ここで、同一の走査配置条件下とは、具体的には、スキャナー原稿台に標準フィルムを載置する際に、各標準フィルムの載置位置及び載置方向を、それぞれ完全に同一にすることを意味する。
【００２８】
具体的な同一走査配置条件について、図１及び図２に沿って説明する。
図１は、透過型クロミックフィルム１の各部分や領域などを示す説明図であり、図２は、透過型イメージスキャナーの原稿台１０の各部分を模式的に示す説明図である。
図１に示すフィルム１は、４つの辺Ｓ１〜Ｓ４及び４つの頂角Ｖ１〜Ｖ４を有し、前記各辺Ｓ１〜Ｓ４にはそれぞれ中点Ｍ１〜Ｍ４が存在する。なお、後述する確認試験での説明の便宜のため、フィルム１の全面を９つの同面積の区分Ｒ１〜Ｒ９に分割する。これらの区分の境界線は、フィルム１には存在しない仮想線である。また、それら各区分Ｒ１〜Ｒ９の中央領域ｒ１〜ｒ９は、後記の不平坦性確認実験で用いる領域である。
また、図２に示すスキャナー原稿台１０には、走査領域１１として、矢印Ｘで示す走査方向に、走査開始端部１２から終端部１３まで、そして矢印Ｙで示すスキャナー光源方向（及びＣＣＤ配置方向）に、右端エッジ１５から左端エッジ１６までの領域が用意されており、走査開始端部１２には、右端コーナーＲＥ及び左端コーナーＬＥがあり、その中央に中央マーカーＣＥが設けられている。
【００２９】
光学濃度データ取得工程において、各標準フィルムの載置方向を同一にするとは、フィルム１を一定の予め定めた方向で、スキャナー原稿台１０に載置することを意味する。例えば、フィルム１の短辺Ｓ２，Ｓ４の方向と、走査方向（図２の矢印Ｘ）とを平行にし、フィルム１の一方の長辺Ｓ３を、スキャナー原稿台１０の走査開始端部１２側に置き、フィルム１の他方の長辺Ｓ１を終端部１３側に置くことにより、全標準フィルムからの光学濃度データの取得操作を完全に同一の方向で行うことができる。また、例えば、フィルム１の長辺Ｓ１，Ｓ３の方向と、走査方向（図２の矢印Ｘ）とを平行にし、フィルム１の一方の短辺Ｓ２を、スキャナー原稿台１０の走査開始端部１２側に置き、フィルム１の他方の短辺Ｓ４を終端部１３側に置くことにより、全標準フィルムからの光学濃度データの取得操作を完全に同一の方向で行うことができる。
【００３０】
更に、光学濃度データ取得工程において、各標準フィルムの載置位置を同一にするとは、例えば、スキャナー原稿台１０の一定の予め定めた位置にフィルム１を載置することを意味する。例えば、フィルム１の頂角Ｖ３をスキャナー原稿台１０の右端コーナーＲＥに合わせて載置することにより、全標準フィルムからの光学濃度データの取得操作を完全に同一の位置で行うことができる。フィルム１の任意の頂角を、例えば、スキャナー原稿台１０の任意の地点（例えば、右端コーナーＲＥ、左端コーナーＬＥ、中央マーカーＣＥ）に合わせて載置することができる。更に、フィルム１の任意の中点をスキャナー原稿台１０の任意の地点（例えば、中央マーカーＣＥ）に合わせて載置することもできる。
【００３１】
こうして、走査を実施することにより、各標準フィルムのそれぞれの全面に分布する全画素（全ピクセル）のそれぞれにおいて、特定の放射線照射線量での光学濃度データが得られる。具体的には、画素ごとに、レッド（Ｒ）成分、ブルー（Ｂ）成分、及びグリーン（Ｇ）成分の光学濃度データが得られ、例えば、或る一つの画素には、その画素における放射線照射線量と光学濃度（Ｒ，Ｇ，Ｂ）との関係を示す標準曲線（３つの標準曲線）、すなわち、光学濃度から放射線照射線量を決定する較正曲線（３つの較正曲線）を得ることができる。なお、本発明の対象である透過型クロミックフィルムでは、グリーン（Ｇ）成分の光学濃度が低いため、グリーン（Ｇ）成分のデータを無視することができ、レッド（Ｒ）成分及びブルー（Ｂ）成分の２つの較正曲線のみを使用しても、正確な較正を行うことができ、レッド（Ｒ）成分の較正曲線のみを使用しても、ほぼ正確な較正を行うことができる。すなわち、個々の画素ごとに、それぞれ相互に独立に、それらの画素に特有の較正曲線（１〜３の較正曲線）を得ることができる。較正曲線記録工程では、こうして得られる個々の画素ごとの較正曲線を、各画素のそれぞれに関連させて記録する。
こうして、或る特定の透過型クロミックフィルム群に対するオリジナル較正マップを作成することができる。
【００３２】
図３（ａ）は、オリジナル較正マップの作成方法を示す模式図であり、図３（ｂ）は、図３（ａ）に示す作成方法と較正曲線との関係を示す模式図である。図３（ａ）に示す例では、４枚の標準フィルムＦ１〜Ｆ４を選択し、標準フィルムＦ１を非照射標準フィルムとし、標準フィルムＦ２、Ｆ３、Ｆ４を、それぞれ１００ｃＧｙ、２００ｃＧｙ及び３００ｃＧｙで照射する。続いて、透過型イメージスキャナーによって光学濃度データを同一の走査配置条件下で測定すると、画素Ａにおいて、例えば、各照射量におけるレッド（Ｒ）成分の測定値Ｓ０，Ｓ１，Ｓ２，Ｓ３が得られ、それらのデータから、図３（ｂ）に示す較正曲線Ｓを得ることができる。次に、放射線治療計画による治療用放射線の照射によって得られた放射線画像の画素Ａにおけるレッド（Ｒ）成分の光学濃度データＳｗが測定されれば、図３（ｂ）の較正曲線Ｓから実際の照射量Ｗ（ｃＧｙ）を決定することができる。
【００３３】
オリジナル較正マップが存在する場合には、そのオリジナル較正マップが適用されるフィルム群とは異なる製造ロット番号のフィルム群（以下、新フィルム群と称する場合がある）を使用する際に、そのオリジナル較正マップから較正マップを簡単に更新することができる。
更新較正マップの作成方法は以下の工程を含む。
（１）更新フィルム選定工程、
（２）更新フィルムの放射線画像形成工程、
（３）光学濃度データ取得工程、
（４）修正較正曲線作成工程、及び
（５）更新較正曲線記録工程。
【００３４】
更新フィルム選定工程では、新フィルム群から、１枚の非照射更新フィルムと、少なくとも１枚の照射更新フィルムとを更新フィルムとして選び出す。非照射更新フィルムは、放射線照射が無い状態のブランクサンプルとして使用する。放射線を照射する照射更新フィルムは、１〜３枚で十分であり、例えば、照射更新フィルムとしては１枚だけを使用することもできる。
【００３５】
更新フィルムの放射線画像形成工程では、照射更新フィルムが１枚の場合には、特定の同一放射線照射量で全面を均一に照射して、照射更新フィルム上に放射線画像を形成する。照射更新フィルムが２枚以上の場合には、各フィルム間では相互に異なる放射線照射量であって、個々のフィルムにおいては同一の放射線照射量で全面を均一に照射して、各照射更新フィルム上に放射線画像を形成する。放射線画像形成工程で照射する放射線照射量は、更新対象となるオリジナル較正マップの作成に使用した放射線照射量と同一でも異なっていてもよい。更新対象となるオリジナル較正マップの作成において、例えば、２５ｃＧｙ、５０ｃＧｙ、１００ｃＧｙ、１５０ｃＧｙ、２００ｃＧｙ、及び３５０ｃＧｙを使用した場合には、照射更新フィルムには、例えば、１５０ｃＧｙ、２００ｃＧｙ、及び３５０ｃＧｙのいずれか１種ないし３種で照射することができる。
【００３６】
光学濃度データ取得工程では、更新対象となるオリジナル較正マップの作成に使用した走査配置条件と完全に同一の走査配置条件を使用する。ここで、完全に同一とは、前記オリジナル較正マップ作成方法の光学濃度データ取得工程で説明した条件と同じ意味である。すなわち、非照射更新フィルム及び照射更新フィルムをスキャナー原稿台に対して、更新対象オリジナル較正マップ作成時の載置方向及び載置位置と完全に同一にする。
【００３７】
前記条件下で走査を実施することにより、各更新フィルムのそれぞれの全面に分布する全画素（全ピクセル）のそれぞれにおいて、特定の放射線照射線量での光学濃度データ〔レッド（Ｒ）成分、ブルー（Ｂ）成分、及びグリーン（Ｇ）成分の光学濃度データ〕が得られる。例えば、或る一つの画素には、その画素における放射線照射線量と光学濃度との関係を示す修正標準曲線（３つの標準曲線）、すなわち、光学濃度から放射線照射線量を決定する修正較正曲線（３つの較正曲線）を得ることができる。すなわち、個々の画素ごとに、それらの画素に特有の修正較正曲線（１〜３の較正曲線）を得ることができる。
【００３８】
こうして得られた修正較正曲線は、更新対象となるオリジナル較正マップにおける較正曲線と比較すると、放射線照射線量の数が少ないので、この修正較正曲線を、オリジナル較正マップ各画素における較正曲線に沿ってそれぞれ更新し、更新較正曲線を生成することができる。こうして得られた更新較正曲線を、更新較正曲線記録工程で記録し、更新較正マップを作成することができる。
【００３９】
図４（ａ）は、図３（ａ）に示すオリジナル較正マップから更新較正マップを作成する方法を示す模式図であり、図４（ｂ）は、図３（ｂ）に示すオリジナル較正曲線Ｓと修正較正曲線Ｔとの関係を示す模式図である。図４（ａ）に示す例では、２枚の更新フィルムＧ１及びＧ２を選択し、更新フィルムＧ１を非照射更新フィルムとし、更新フィルムＧ２を２００ｃＧｙで照射する。続いて、透過型イメージスキャナーによって光学濃度データを同一の走査配置条件下で測定すると、例えば、同一位置の画素Ａのレッド（Ｒ）成分の測定データＴ０，Ｔ２が得られ、オリジナル較正曲線Ｓ上の相当する測定データＳ０，Ｓ２との対比から、オリジナル較正曲線Ｓを修正較正曲線Ｔに修正することができる。なお、オリジナル較正曲線Ｓを作成する際に求めた測定データＳ１，Ｓ３に相当するデータＴ１，Ｔ３は、修正較正曲線Ｔを得る際には、測定する必要がなく、演算によって算出することができる。こうして得られた修正較正曲線Ｔも、前記図３（ｂ）の較正曲線Ｓと同様に、放射線治療計画による治療用放射線の照射によって得られた放射線画像の画素Ａにおけるレッド（Ｒ）成分の光学濃度データから、実際の照射量を決定する際に使用することができる。
【００４０】
更新較正マップは、更に別の新フィルム群に対しても、全く同様の方法によって更新を繰り返し、簡易な方法で、次々に更新較正マップを作成することができる。
【００４１】
使用する透過型イメージスキャナーを変更した場合にも、オリジナル較正マップを作成するか、あるいは、既に存在する較正マップ（オリジナル又は更新較正マップ）を更新することもできる。フィルム群が変更されず、スキャナーが変更された場合の更新方法について、以下、簡単に説明する。
この場合の更新較正マップの作成方法も、以下の工程を含む。
（１）更新フィルム選定工程、
（２）更新フィルムの放射線画像形成工程、
（３）光学濃度データ取得工程、
（４）修正較正曲線作成工程、及び
（５）更新較正曲線記録工程。
【００４２】
更新フィルム選定工程は、更新対象となる較正マップの作成に用いたフィルム群から更新フィルムを選定することを除けば、フィルム群を変更した場合の更新フィルム選定工程と同じである。また、更新フィルムの放射線画像形成工程は、フィルム群を変更した場合の更新フィルムの放射線画像形成工程と全く同じ操作を実施する。次に、光学濃度データ取得工程では、新たに使用する透過型イメージスキャナーにおいて、走査工程を実施することを除けば、走査配置条件は、フィルム群を変更した場合の光学濃度データ取得工程と同じである。更に、次の修正較正曲線作成工程及び更新較正曲線記録工程も、フィルム群を変更した場合の光学濃度データ取得工程と同じである。
【００４３】
以上のように、本発明による較正マップは、前記の生成方法又は更新方法によって作成することができる。すなわち、本発明による較正マップは、物性が同一と考えられる透過型クロミックフィルム群（例えば、製造ロット番号が同じフィルム群）に属する個々の透過型クロミックフィルムに形成される放射線画像について、透過型イメージスキャナーによって得られる光学濃度から、前記透過型クロミックフィルムへの実際の放射線照射線量を決定するために用いることができる。
【００４４】
また、本発明による較正マップは、前記透過型クロミックフィルムの全面に亘る各画素のそれぞれにおいて、照射された複数の放射線照射量と、それらの放射線照射によって得られた画像から透過型イメージスキャナーによって測定された光学濃度とから得られた較正曲線を、画素ごとに相互に独立して、フィルムの全面に亘る各画素のそれぞれに関連させて有している。
【００４５】
更に、本発明による較正マップは、透過型クロミックフィルムに形成される放射線画像を、予め決められた特定の走査配置条件で、透過型イメージスキャナーによって測定することによって作成されているので、本発明による較正マップは、前記の特定の走査配置条件の指令（または情報）を含むものである。すなわち、この較正マップを使用して、例えば、放射線治療計画の放射線照射量検証方法に用いる場合には、前記の指令（または情報）に従って、治療計画による照射を行った透過型クロミックフィルムを特定の走査配置条件で走査する必要がある。
【００４６】
本発明による較正マップは、任意の公知のコンピュータ読み取り可能な記録媒体に格納することができる。その記録媒体は、解析システムや解析装置に利用することができる。本発明は、その記録媒体、及びそれらの解析システムや解析装置を提供するものでもある。
コンピュータ読み取り可能な記録媒体としては、例えば、コンパクトディスク、フレキシブルディスク、ハードディスク、光磁気ディスク、ディジタルビデオディスク、磁気テープ、又は半導体メモリが挙げられる。
【００４７】
更に、本発明による較正マップは、放射線治療計画の照射量検証方法に利用することができる。照射量検証方法は、具体的には、
（１）本発明による較正マップ（すなわち、オリジナル較正マップ又は更新較正マップ）が作成された透過型クロミックフィルム群に属する透過型クロミックフィルムに、放射線治療計画による治療用放射線を照射して放射線画像を形成する工程、
（２）前記透過型クロミックフィルムに形成された放射線画像から、前記較正マップに特有の予め決められた特定の走査配置条件で、透過型イメージスキャナーによって光学濃度を測定する工程、及び
（３）前記放射線画像の全画素に関して、前記較正マップを用いて、前記光学濃度から、放射線照射量を計算する工程
を含む。
【００４８】
前記工程（１）の放射線画像形成工程は、一般的に、ファントム内で実施されるので、本発明による較正マップは、予めそれと同一のファントムを利用して作成しておくのが好ましい。また、前記工程（２）の光学濃度測定工程では、本発明較正マップが付属情報として備えている走査配置条件に忠実に従って、放射線画像形成フィルムをスキャナー台に載置して走査を行う必要がある。前記工程（３）によって放射線照射量を計算すると、放射線画像形成フィルムの全面に亘って、測定光学濃度から較正された放射線照射量のデータを得ることができ、極めて正確な検証を行うことができる。
【００４９】
本発明の較正マップの作成方法や、本発明の照射量検証方法では、透過型イメージスキャナーによって光学濃度を測定する工程において、クロミックフィルムを特定の走査配置条件で配置する必要がある。すなわち、オリジナル較正マップ又は更新較正マップを作成する際の各フィルムの配置位置及び配置方向を同一にし、更に、照射量検証方法では、クロミックフィルムの配置条件を、較正マップ作成時の条件と同一にする必要がある。市販のクロミックフィルムでは、同一コーナーに小穴を設けたフィルムを梱包箱内に積み重ねて提供されることがあるので、この場合は、その小穴を目印として、クロミックフィルムの配置条件を同一にすることができる。前記の小穴のようなマークがないフィルムを使用する場合には、梱包箱を開封して最初のクロミックフィルムを取り出す前に、梱包箱内に積み重ねられた状態の全クロミックフィルムの同一頂角や同一辺の特定位置にマークなどを付けて、納品時の積層方向を全フィルムに記録しておくことが好ましい。
【００５０】
〔不平坦性の確認実験〕
放射線で全面を均一に照射した透過型クロミックフィルムについて、透過型イメージスキャナーで光学濃度を測定すると、原稿台上での前記フィルムの配置方向及び配置位置によって測定値が変化することを以下の方法で確認した。
【００５１】
フィルムとしては、透過型クロミックフィルム［８インチ×１０インチ（２０．３ｃｍ×２５．４ｃｍ）：Ｇａｆｃｈｒｏｍｉｃ  ＥＢＴ３：ＡＳＨＬＡＮＤ社製］を用いた。スキャナーとしては、フラットベッドスキャナー（ＥＳ−１００００Ｇ：ＥＰＳＯＮ社製）を用いた。同一の製造ロットナンバーを有する２枚の透過型クロミックフィルムＡ，Ｂを用意し、一方のフィルムＡの表面の全面を太陽光に３０分間照射し、フィルム全面にわたって、平行な紫外線で均一に照射した。翌日に、もう一方のフィルムＢの表面の全面を同様に太陽光に３０分間露光し、フィルム全面にわたって、平行な紫外線で均一に照射した。
【００５２】
確認実験に用いたフィルムＡ（及びＢ）は、図１に示す様に、４つの辺Ｓ１〜Ｓ４及び４つの頂角Ｖ１〜Ｖ４を有する。各区分Ｒ１〜Ｒ９の中央領域ｒ１〜ｒ９は、合計画素数が７０５６個分（約３０ｍｍ×約３０ｍｍ）の大きさである。また、スキャナーとしては、図２に示す構造のスキャナーを使用した。
【００５３】
照射フィルムＡを図５（ａ）に示す様に、スキャナーの原稿台１０に載置した。その際、照射フィルムＡの頂角Ｖ２を、原稿台１０の右端コーナーＲＥに正確に一致させ、照射フィルムＡの辺Ｓ２を、原稿台１０の走査開始端部１２に正確に一致させた。位置合わせに用いた頂角Ｖ２の位置を他の頂角と区別する目的で、図５（ａ）中の印●で示すが、これは説明の便宜のために記入したものであり、フィルムに実際に付されたマークではない。
【００５４】
図５（ａ）に示す状態（配置状態１）で、光学濃度を測定した。結果を表１に示す。表１には、各中央領域ｒ１〜ｒ９でのレッド成分（Red）、ブルー成分（Blue）、及びグリーン成分（Green）のスキャナー読込値（ＡＤＣ値：Analog-to-Digital Converter）を示す。
【００５５】
次に、照射フィルムＡを原稿台１０上で時計回りに９０°回転させ、図５（ｂ）に示す状態（配置状態２）とした。この配置状態２でも、照射フィルムＡの頂角Ｖ１を、原稿台１０の右端コーナーＲＥに正確に一致させ、照射フィルムＡの辺Ｓ１を、原稿台１０の走査開始端部１２に正確に一致させた状態で、光学濃度を測定した。各中央領域ｒ１〜ｒ９でのスキャナー読込値を表１に示す。
更に、照射フィルムＡを原稿台１０上で時計回りに９０°回転させ、図５（ｃ）に示す状態（配置状態３）とした。この配置状態３でも、照射フィルムＡの頂角Ｖ４を、原稿台１０の右端コーナーＲＥに正確に一致させ、照射フィルムＡの辺Ｓ４を、原稿台１０の走査開始端部１２に正確に一致させた状態で、光学濃度を測定した。各中央領域ｒ１〜ｒ９でのスキャナー読込値を表１に示す。
最後に、照射フィルムＡを原稿台１０上で時計回りに９０°回転させ、図５（ｄ）に示す状態（配置状態４）とした。この配置状態４でも、照射フィルムＡの頂角Ｖ３を、原稿台１０の右端コーナーＲＥに正確に一致させ、照射フィルムＡの辺Ｓ３を、原稿台１０の走査開始端部１２に正確に一致させた状態で、光学濃度を測定した。各中央領域ｒ１〜ｒ９でのスキャナー読込値を表１に示す。
【００５６】
続いて、照射フィルムＢについても、配置状態１〜配置状態４で、光学濃度を測定した。表２に、照射フィルムＢの各中央領域ｒ１〜ｒ９でのスキャナー読込値を示す。
【００５７】
【表１】
0006537470.tif 000002
【００５８】
【表２】
0006537470.tif 000003
【産業上の利用可能性】
【００５９】
本発明による較正マップは、放射線治療計画に従ってクロミックフィルムに照射された放射線照射量の検証に用いることができ、イメージスキャナー原稿台での配置条件に基づいて発生する不平坦性を正確に矯正して、極めて正確な検証を実施することができる。
【符号の説明】
【００６０】
１・・・フィルム；１０・・・スキャナー原稿台；１１・・・走査領域；
１２・・・走査開始端部；１３・・・終端部；１５・・・右端エッジ；
１６・・・左端エッジ；Ｍ１，Ｍ２，Ｍ３，Ｍ４・・・中点；
Ｒ１，Ｒ２，Ｒ３，Ｒ４，Ｒ５，Ｒ６，Ｒ７，Ｒ８，Ｒ９・・・区分；
ｒ１，ｒ２，ｒ３，ｒ４，ｒ５，ｒ６，ｒ７，ｒ８，ｒ９・・・中央領域；
Ｓ１，Ｓ３・・・長辺；Ｓ２，Ｓ４・・・短辺；
Ｖ１，Ｖ２，Ｖ３，Ｖ４・・・頂角；
Ｘ・・・走査方向；Ｙ・・・スキャナー光源方向；
ＲＥ・・・右端コーナー；ＬＥ・・・左端コーナー；ＣＥ・・・中央マーカー。
【図１】
0006537470.tif 000004
【図２】
0006537470.tif 000005
【図３】
0006537470.tif 000006
【図４】
0006537470.tif 000007
【図５】
0006537470.tif 000008